(57)【要約】      （修正有）【課題】棒材の基端部を常に容器内に貯留された液体香料に浸す構成を採ることなく、液体香料の香りを好適に放出させることができ、且つ、使用者により取り扱いやすい構成をなしたディフューザーを提供する。【解決手段】ディフューザーＤは、天板等の載置面Ｍ上に載置される基台１と、棒状をなし基端部たる下端部ｔ１が基台１に支持される放香部材２とを備えたものであり、放香部材２の上端部ｔ２を含む上部領域Ｒのみに、液体香料を浸み込ませる浸み込ませ部２１が設けられたものであり、浸み込ませ部２１に浸み込んだ液体香料Ｆを気化させて香料成分を外部へ放出することができるものとなっている。【選択図】図４
0003229330.tif 000002
【実用新案登録請求の範囲】
【請求項１】
天板等の載置面上に載置される基台と、棒状をなし基端部が前記基台に支持される放香部材とを備えたものであり、
前記放香部材の先端部を含む先部領域のみに、液体香料を浸み込ませる浸み込ませ部が設けられたものであり、
前記浸み込ませ部に浸み込んだ前記液体香料を気化させて香料成分を外部へ放出することを特徴とするディフューザー。
【請求項２】
前記放香部材が、前記基台に対して着脱可能に構成されたものであり、
前記基台に、前記放香部材の基端部が内嵌し得る嵌合穴が形成されている請求項１記載のディフューザー。
【請求項３】
前記放香部材が、上下方向に長手をなす姿勢で前記基台に支持され得るものである請求項１又は２記載のディフューザー。
【請求項４】
前記放香部材が、木製のものである請求項１、２又は３記載のディフューザー。
【請求項５】
前記基台が、略矩形板状をなしたものである請求項１、２、３又は４記載のディフューザー。
【請求項６】
前記放香部材の外周面に取り付けられ、前記基台に対する前記放香部材の姿勢を保持し得る円筒状をなす姿勢保持部材を備えたものであり、
前記姿勢保持部材の端部が前記基台に当接することにより、前記基台に対する前記放香部材の姿勢が保持され得るように構成されている請求項１、２、３、４又は５記載のディフューザー。
【考案の詳細な説明】
【技術分野】
【０００１】
本考案は、外部に液体香料の香りを拡散させ得るディフューザーに関するものである。
【背景技術】
【０００２】
従来から、容器内に貯留された液体香料を上下方向に延びてなる複数の棒材に含浸させることにより、それら棒材を通じて外部に液体香料の香りを拡散させるようにしたディフューザーが知られている（例えば特許文献１参照）。なお、一般に、この種のディフューザーは、「リードディフューザー」とも称されているものである。
【０００３】
ディフューザーは、容器内に立てられた棒材の下端部が、常に、容器内に貯留された液体香料に浸たされたものとなっている。ディフューザーは、棒材を利用して液体香料を下端部から上端部に向かって吸い上げ、棒材の上端部付近において吸い上げた液体香料を気化させることにより、液体香料の香りを外部に拡散することができるようになっている。
【０００４】
従来のディフューザーは、複数本の棒材が上下方向に長手をなすように設けられることに起因して、全体として上下方向に長い形態になり易く、倒れやすいものとなっていた。仮に、液体香料を貯留した容器が誤って倒れてしまったような場合には、外部に液体香料が流れ出てしまうことになり、復旧する作業が極めて煩わしいものとなることは言うまでもない。
【０００５】
さらに、従来のディフューザーは、容器内に一定量の液体香料が貯留されるものとなっているため、容器内の液体香料を使い終わるのに時間がかかりすぎることも使用者に不便さを感じさせるものとなっていた。
【０００６】
例えば、使用者が、液体香料の香りに飽きたような場合であっても、一般的には経済性（残りの液体香料を無駄にしないこと）を考慮して、不本意ながらも容器内の液体香料が無くなるまでは使用を継続することが多い。換言すれば、棒材の基端部が常に浸るように容器内に一定量の液体香料を貯留させている構成のディフューザーであると、香りの異なる他の液体香料を使用する機会は著しく制限されてしまうものとなる。
【０００７】
しかも、容器内の液体香料を使い終わるのに時間がかかりすぎてしまうと、液体香料が付着した容器の開口部周辺や複数の棒材の上部に埃が付着・堆積してしまい、外観を著しく損なうものとなっていた。
【先行技術文献】
【特許文献】
【０００８】
【特許文献１】実用新案登録第３２１０７０１号公報
【考案の概要】
【考案が解決しようとする課題】
【０００９】
本考案は、このような課題に着目してなされたものであって、少なくとも、棒材の基端部を常に容器内に貯留された液体香料に浸す構成を採ることなく、液体香料の香りを好適に放出させることができ、且つ、使用者により取り扱いやすい構成をなしたディフューザーを提供することにある。
【課題を解決するための手段】
【００１０】
すなわち、本考案は次の構成をなしている。
【００１１】
請求項１に記載の考案は、天板等の載置面上に載置される基台と、棒状をなし基端部が前記基台に支持される放香部材とを備えたものであり、前記放香部材の先端部を含む先部領域のみに、液体香料を浸み込ませる浸み込ませ部が設けられたものであり、前記浸み込ませ部に浸み込んだ前記液体香料を気化させて香料成分を外部へ放出することを特徴とするディフューザーである。
【００１２】
請求項２に記載の考案は、前記放香部材が、前記基台に対して着脱可能に構成されたものであり、前記基台に、前記放香部材の基端部が内嵌し得る嵌合穴が形成されている請求項１記載のディフューザーである。
【００１３】
請求項３に記載の考案は、前記放香部材が、上下方向に長手をなす姿勢で前記基台に支持され得るものである請求項１又は２記載のディフューザーである。
【００１４】
請求項４に記載の考案は、前記放香部材が、木製のものである請求項１、２又は３記載のディフューザーである。
【００１５】
請求項５に記載の考案は、前記基台が、略矩形板状をなしたものである請求項１、２、３又は４記載のディフューザーである。
【００１６】
請求項６に記載の考案は、前記放香部材の外周面に取り付けられ、前記基台に対する前記放香部材の姿勢を保持し得る円筒状をなす姿勢保持部材を備えたものであり、前記姿勢保持部材の端部が前記基台に当接することにより、前記基台に対する前記放香部材の姿勢が保持され得るように構成されている請求項１、２、３、４又は５記載のディフューザーである。
【考案の効果】
【００１７】
以上説明したように本考案によれば、少なくとも、棒材の基端部を常に容器内に貯留された液体香料に浸す構成を採ることなく、液体香料の香りを好適に放出させることができ、且つ、使用者により取り扱いやすい構成をなしたディフューザーを提供することができるものとなる。
【図面の簡単な説明】
【００１８】
【図１】本考案の一実施形態を示す斜視図。
【図２】同実施形態における正面図。
【図３】同実施形態における分解斜視図。
【図４】同実施形態における分解斜視図。
【考案を実施するための形態】
【００１９】
以下、本考案の一実施形態を、図１〜４を参照して説明する。
【００２０】
ディフューザーＤは、天板等の載置面Ｍ上に載置される基台１と、棒状をなし基端部たる下端部ｔ１が基台１に支持される放香部材２とを備えたものである。
【００２１】
そして、ディフューザーＤは、上下方向に長手をなすように基台１に支持された放香部材２の先端部を含む先部領域のみ、すなわち、放香部材２の上端部ｔ２を含む上部領域Ｒのみに、液体香料Ｆを浸み込ませる浸み込ませ部２１が設けられている。
【００２２】
ディフューザーＤは、浸み込ませ部２１に浸み込んだ液体香料Ｆを気化させて香料成分を外部へ放出し得るものとなっている。なお、図示例では、放香部材２において、液体香料Ｆが浸み込んだ部位を灰色にしている。
【００２３】
以下、ディフューザーＤについて詳述する。
【００２４】
基台１は、略矩形板状をなしたものである。基台１は、放香部材２を倒れることなく支持し得るように放香部材２よりも重く作られている。この実施形態における基台１は陶製のものである。
【００２５】
基台１には、棒状をなす放香部材２の下端部ｔ１が内嵌し得る嵌合穴１１が形成されている。嵌合穴１１は、基台１の上面側から下方に向かって凹んだ有底の丸穴状をなしており、矩形板状をなす基台１における角部近傍に設けられている。
【００２６】
なお、基台１には、意匠性を付与するべく上面の一部に碁盤目状の領域１ａが設けられている。
【００２７】
放香部材２は、基台１に対して着脱可能に構成されたスティック状のものである。放香部材２は、基台１とは別体をなしている。放香部材２は、上端部ｔ２を含む上部領域Ｒのみに浸み込ませ部２１が設けられている。
【００２８】
ここで、放香部材２の上端部ｔ２を含む上部領域Ｒとは、保管容器Ｂ内に貯留された液体香料Ｆに直接的に浸される領域であり、且つ、基台１に接続される放香部材２の下端部ｔ１を除いた領域を指すものである。
【００２９】
放香部材２の浸み込ませ部２１は、液体香料Ｆを浸み込ますことが可能な材質により作られている。この実施形態では、放香部材２は、その全体が円柱状をなす木製（竹製）のものである。つまり、この実施形態における放香部材２の浸み込ませ部２１は、当該放香部材２の上部領域Ｒのみに設定されており、下端部ｔ１は除外されている。放香部材２は、上下方向に長手をなす姿勢で基台１に支持され得るものとなっている。
【００３０】
なお、放香部材２の外周面には、基台１に対する放香部材２の姿勢を保持し得る円筒状をなす姿勢保持部材３が取り付けられている。姿勢保持部材３は、放香部材２における下端部ｔ１近傍に外装されており、図示しない接着剤により固定されている。この実施形態の姿勢保持部材３は金属製のものである。円筒状をなす姿勢保持部材３の下端部ｔ１が基台１の上面に当接することにより、基台１に対する放香部材２の姿勢が保持又は安定化され得るものとなっている。
【００３１】
続いて、図４を参照しつつ、本実施形態のディフューザーＤの一使用例について説明する。
【００３２】
まず、使用者は、棒状をなす放香部材２の下端部ｔ１側を手指により把持し、放香部材２の上部領域Ｒに設けられた浸み込ませ部２１を保管容器Ｂに貯留された液体香料Ｆ内に一時的に潜り込ませ、当該浸み込ませ部２１に一定量の液体香料Ｆを浸み込ませる。図示例では、液体香料Ｆが浸み込んだ部分を灰色にしている。
【００３３】
次いで、使用者は、放香部材２の下端部ｔ１を基台１に設けられた嵌合穴１１に嵌合させて、放香部材２を基台１に対して立設する。
【００３４】
このとき、放香部材２の下端部ｔ１近傍に装着された姿勢保持部材３の下端部３ｅと、基台１の上面とが当接するようになっているため、基台１に対する放香部材２の姿勢が上下方向に長手をなすように安定し得るものとなっている。
【００３５】
以上の過程を経て、ディフューザーＤは周囲に香りを伝達可能な使用状態を採ることができるものとなる。
【００３６】
ディフューザーＤは、放香部材２の上部領域Ｒに設けた浸み込ませ部２１にのみ液体香料Ｆを浸み込ませるものであるため、一定の限られた範囲に対して、液体香料Ｆの香料成分（香り）を好適に放出させることができるものとなっている。
【００３７】
また、例えば、香りの異なる二以上の液体香料Ｆを用意している場合は、放香部材２の浸み込ませ部２１がある程度乾いた後に、別の液体香料Ｆを放香部材２の浸み込ませ部２１に浸み込ませれば、極めて迅速に他の香りを放出させることができるものとなっている。
【００３８】
このように、本実施形態に係るディフューザーＤは、天板等の載置面Ｍ上に載置される基台１と、棒状をなし基端部たる下端部ｔ１が基台１に支持される放香部材２とを備えたものである。そして、放香部材２の先端部を含む先部領域すなわち放香部材２の上端部ｔ２を含む上部領域Ｒのみに、液体香料Ｆを浸み込ませる浸み込ませ部２１が設けられたものである。ディフューザーＤは、浸み込ませ部２１に浸み込んだ液体香料Ｆを気化させて香料成分（香り）を外部へ放出するものとなっている。
【００３９】
このため、本実施形態のディフューザーＤであれば、棒材の下端部を常に容器内に貯留された液体香料に浸すような従来の構成を採ることなく、液体香料Ｆの香りを好適に放出させることができ、且つ、使用者により取り扱いやすい構成のものを提供することができるものとなる。
【００４０】
つまり、本実施形態のディフューザーＤであれば、全体として倒れにくいデザインを柔軟に設計し得るものとなるだけでなく、仮に、ディフューザーＤ全体が倒れてしまった場合であっても、常に容器内に液体香料を貯留させておくような従前のディフューザーの構成を有しないため、液体香料Ｆが外部に流れ出てしまうような不都合極まりない問題は何ら生じないものとなっている。
【００４１】
しかも、本実施形態のディフューザーＤであれば、浸み込ませ部２１に浸み込ませた液体香料Ｆが気化し終わるのに過度に時間を要しないものとなる。このため、本実施形態のディフューザーＤであれば、線香のように、短時間の使用も極めて柔軟に実行できるものとなっており、例えば、複数種類の液体香料Ｆに基づく複数種類の香りを頻繁に変更することも容易に実行し得るものとなっている。
【００４２】
また、従来のディフューザーのような容器に液体香料を貯留させる構成を有しないため、長期間、使用状態（香りを放出し得る状態）で放置され難いものとなる。そのため、ディフューザーＤは、使用状態が終わらないという理由で所定の位置に長時間放置され、基台１や放香部材２に対して埃が付着・堆積してしまうという不具合も好適に抑制されたものとなっている。
【００４３】
放香部材２が、基台１に対して着脱可能に構成されたものである。そして、基台１に、放香部材２の基端部たる下端部ｔ１が内嵌し得る嵌合穴１１が形成されている。
【００４４】
このため、ディフューザーＤを使用しない場合には、基台１と放香部材２とを離脱させて保管することができるものとなる。また、放香部材２の浸み込ませ部２１を、保管容器Ｂに貯留された液体香料Ｆ内に潜り込ませるという使用者による準備作業も極めて簡単に実行することができ、基台１に対する放香部材２の取り付けも極めて簡単に実行し得るものとなっている。
【００４５】
放香部材２が、上下方向に長手をなす姿勢で基台１に支持され得るものである。
【００４６】
このため、線香に近似した親しみのある外観を実現することができ、見る者に対して違和感を与えず心地よい印象を与え得る意匠性が発揮され得るものとなっている。
【００４７】
放香部材２が、木製のものであるため、浸み込ませ部２１に対して液体香料Ｆを好適に浸み込ませることができるものとなっている。また、放香部材２の全体が木製のものであり、その上部領域Ｒを浸み込ませ部２１に設定しているため、他の部材（例えば、布材等を巻き付ける等）を用いることなく、シンプルな構成で浸み込ませ部２１を設定し得るものとなっている。
【００４８】
基台１が、略矩形板状をなしたものであるため、放香部材２を載置面Ｍ上に安定的に支持し得るとともに、見る者に対して好適かつ整然として落ち着きのある外観を提供し得るものとなっている。
【００４９】
放香部材２の外周面に取り付けられ、基台１に対する放香部材２の姿勢を保持し得る円筒状をなす姿勢保持部材３を備えたものである。そして、姿勢保持部材３は、下端部３ｅが基台１に当接することにより、基台１に対する放香部材２の姿勢が保持され得るように構成されている。
【００５０】
このため、放香部材２における基端部ｔ１の大きさと基台１における嵌合穴１１の大きさとを厳密に合わせる必要なく、姿勢保持部材３を利用することにより、基台１に対する放香部材２の姿勢が好適に保持されるものとなっている。
【００５１】
なお、本考案は、以上に詳述した実施形態に限られるものではない。
【００５２】
液体香料は、香りを発散させることができるものであればよく、本考案の趣旨を逸脱しない範囲のものであれば、どのようなものであっても構わない。
【００５３】
基台は種々のものを採用することができるものであり、上述した実施形態に示されたものに限られるものではない。基台の形状や材質についても、上述した実施形態に示したものに限られるものではない。例えば、基台は、自然の岩石を用いたものであってもよい。
【００５４】
基台は、放香部材を支持し得るものであればよい。例えば、基台は、放香部材の基端部を嵌合穴により支持させるものに限られるものではなく、クリップ状の部材や磁石等を用いて放香部材の基端部を支持する構成としてもよい。
【００５５】
放香部材の材質についても、木製のものに限られるものではないことはもちろんのことである。例えば、紙製のものであってもよいし二つ以上の異なる材質を組み合わせたものであってもよい。
【００５６】
放香部材の上部領域に設定された浸み込ませ部は、棒状をなす放香部材本体に対して液体香料を浸み込ませやすい部材（例えば、布材やスポンジ材や綿材など）を取り付けることにより構成したものであってもよい。この場合、放香部材本体は、液体香料が浸み込まない材質のもの（例えば、金属やプラスチック等）であってもよいのは言うまでもない。
【００５７】
放香部材は、基端部が基台に支持され得る構成であればよく、上述した実施形態に示したように上下方向に延びた姿勢で基台に支持されたものでなくてもよい。例えば、放香部材が水平方向に延びた姿勢で基台に支持されたものであってもよい。
【００５８】
ディフューザーは、放香部材に姿勢保持部材を取り付けていないものであってもよい。
【００５９】
その他、各部の具体的構成についても上記実施形態に限られるものではなく、本考案の趣旨を逸脱しない範囲で種々変形が可能である。
【符号の説明】
【００６０】
Ｄ…ディフューザー
１…基台
２…放香部材
３…姿勢保持部材
２１…浸み込ませ部
Ｒ…上部領域（先部領域）
ｔ１…下端部（基端部）
ｔ２…上端部（先端部）
【図１】
0003229330.tif 000003
【図２】
0003229330.tif 000004
【図３】
0003229330.tif 000005
【図４】
0003229330.tif 000006